(57)【特許請求の範囲】
【請求項１】
タンク（１）のドレン口（３）の開栓若しくは閉栓が自在なタンクドレン装置であって、前記ドレン口（３）回りに螺進退操作自在のホルダー（２１）と、前記ドレン口（３）の奥部中心に向けて所定傾斜面を有するよう該ホルダー（２１）に突設され、該所定傾斜面が前記ドレン口（３）の端部に当接自在の突設手段（２７）と、該突設手段（２７）の周囲及び前記ホルダー（２１）の内側に形成され、リブ（２３）により周方向へ仕切られかつ外部に通ずる周辺空隙部（２４）を備え、
該周辺空隙部（２４）は、前記ホルダー（２１）が螺退操作されたとき、前記突設手段（２７）の所定傾斜面と前記ドレン口（３）の端部間に形成される隙間を通じて前記ドレン口（３）と直接連通されることを特徴とするタンクドレン装置。
【請求項２】
前記突設手段（２７）は、前記底部周囲（２７ａ）より前記ドレン口（３）の奥部中心に向けて円錐状に突設されたことを特徴とする請求項１記載のタンクドレン装置。
【請求項３】
前記突設手段（２７）の前記ドレン口（３）の端部と当接する当接部分にはパッキン（２９）が埋設され、該パッキン（２９）の外周面は前記突設手段（２７）の前記所定傾斜面に連接して形成されたことを特徴とする請求項１又は請求項２記載のタンクドレン装置。
【請求項４】
前記ドレン口（３）の端部は、前記突設手段（２７）の所定傾斜面に対し面接触されるように該傾斜面に合わせて形成されたことを特徴とする請求項１、２又は３記載のタンクドレン装置。
【請求項５】
前記ホルダー（２１）の端部には先端に開口を有するリング（３３）が配設され、該リング（３３）は、先細りの形状を有することを特徴とする請求項１、２、３ 又は４記載のタンクドレン装置。
【発明の詳細な説明】
【０００１】
【発明の属する技術分野】
本発明はタンクドレン装置に係わり、特に排水の回収が容易に行え、回収時に排水の漏れを生じたり、作業者に排水がかかり難いタンクドレン装置に関する。
【０００２】
【従来の技術】
背負動力散布機に搭載される給水タンクのドレン構造として、従来、例えば図５に示すタンクドレン装置１０が知られている（特開平１０−１１７６６０号公報）。
【０００３】
図５において、タンク１のドレン口３とキャップ５の間にはネジ４が刻設されており、このネジ４によりキャップ５がドレン口３に対し螺合される。ドレン口３の先端部には小径部７が配設され、この小径部７とキャップ５の間には周辺空隙９が形成されている。
【０００４】
キャップ５の螺合が緩められるとき、円形パッキン１１は小径部７の端部から離れ、水が周辺空隙９に向けて放射状に放出される。その後、この水は通路１３を通り、外部に放出される。
【０００５】
【発明が解決しようとする課題】
ところで、従来のタンクドレン装置１０では、キャップ５を緩めたとき、水が周辺空隙９にたまり、内圧が上昇する。タンク１の水圧との関係によっては、水がネジ４を上方に移動し、キャップ５上部から漏れるおそれがある。一方、上記内圧を低くするため、周辺空隙９を広げると、キャップ５が大型化する。
【０００６】
また、通路１３を通り、外部に放出された水はリング上に放射される。そのため、作業者に水がかかり易い。また、排水を回収するとき、広口のバケツやビン等が必要になり、面倒である。
【０００７】
本発明はこのような従来の課題に鑑みてなされたもので、排水の回収が容易に行え、回収時に排水の漏れを生じたり、作業者に排水がかかり難いタンクドレン装置を提供することを目的とする。
【０００８】
【課題を解決するための手段】
このため本発明（請求項１）は、タンク（１）のドレン口（３）の開栓若しくは閉栓が自在なタンクドレン装置であって、前記ドレン口（３）回りに螺進退操作自在のホルダー（２１）と、前記ドレン口（３）の奥部中心に向けて所定傾斜面を有するよう該ホルダー（２１）に突設され、該所定傾斜面が前記ドレン口（３）の端部に当接自在の突設手段（２７）と、該突設手段（２７）の周囲及び前記ホルダー（２１）の内側所定部間に形成され、リブ（２３）により周方向へ仕切られかつ外部に通ずる周辺空隙部（２４）を備え、該周辺空隙部（２４）は、前記ホルダー（２１）が螺退操作されたとき、前記突設手段（２７）の所定傾斜面と前記ドレン口（３）の端部間に形成される隙間を通じて前記ドレン口（３）と連通されることを特徴とする。
【０００９】
ホルダー（２１）が螺退操作されたとき、ドレン口（３）より突設手段（２７）の所定傾斜面とドレン口（３）の端部間に形成される隙間を通じて水が流れる。この水は突設手段（２７）の所定傾斜面に沿って流れるため、水の流れに傾斜角度を有する。
【００１０】
このため、ホルダー（２１）の内壁により反射された水は外部へと円滑に流れる。従って、周辺空隙部（２４）の内圧は低く抑えられ、ホルダー（２１）上部より水が漏れ難い。
【００１１】
また、本発明（請求項２）は、前記突設手段（２７）は、前記底部周囲（２７ａ）より前記ドレン口（３）の奥部中心に向けて円錐状に突設されたことを特徴とする。
【００１２】
円錐状とすることで簡素に構成可能である。
【００１３】
更に、本発明（請求項３）は、前記突設手段（２７）の前記ドレン口（３）の端部と当接する当接部分にはパッキン（２９）が埋設され、該パッキン（２９）の外周面は前記突設手段（２７）の前記所定傾斜面に連接して形成されたことを特徴とする。
【００１４】
パッキン（２９）を埋設することで、シール性を向上させることが出来る。
【００１５】
更に、本発明（請求項４）は、前記ドレン口（３）の端部は、前記突設手段（２７）の所定傾斜面に対し面接触されるように該傾斜面に合わせて形成されたことを特徴とする。
【００１６】
ドレン口（３）の端部にも傾斜面を配設する。このことにより、一層シール性を向上させることが出来る。
【００１７】
更に、本発明（請求項５）は、前記ホルダー（２１）の端部には先端に開口を有するリング（３３）が配設され、該リング（３３）は、先細りの形状を有することを特徴とする。
【００１８】
外部に排出された水は、リング（３３）により中央に寄せられ柱状に集合される。従って、排水の回収も容易になり、作業者に水がかかることも少ない。
【００１９】
【発明の実施の形態】
以下、本発明の実施形態について説明する。本発明の実施形態であるタンクドレン装置２０の側面断面図を図１に、底面図を図２に示す。なお、図５と同一要素のものについては同一符号を付して説明は省略する。
【００２０】
図１において、タンクドレン装置２０の筒状ホルダー２１は、タンク１側に嵌合される内側にネジ４の刻設された小径部２１ａと、この小径部２１ａと一体的に構成され、小径部２１ａより拡大径を有する大径部２１ｂとからなっている。
【００２１】
そして、この大径部２１ｂの内側には、周方向に沿って６枚のリブ２３が形成されている。リブ２３は、底部２３ａが径方向内側に延長され、Ｌ字状の形を成している。
【００２２】
そして、この底部２３ａの上側には凸部２７が形成されている。凸部２７は、リブ２３の底部２３ａと一体化されるリング状基部２７ａと、このリング状基部２７ａの内側端部より筒状に立設される筒状立設部２７ｂと、この筒状立設部２７ｂの端部よりドレン口３の中心に向けて円錐状に突設された円錐状突設部２７ｃとからなっている。リング状基部２７ａ周囲と大径部２１ｂの内壁間には、リブ２３により６つに仕切られた周辺空隙部２４が形成されている。
【００２３】
リング状基部２７ａと筒状立設部２７ｂの間には段差を生じているが、この段差は、パッキン２９により埋められている。パッキン２９は、円錐状突設部２７ｃの傾斜面が下方向にそのまま延長されて続く形状となるように上部が斜めに切り込まれている。
【００２４】
ドレン口３の下端部も同様に、このパッキン２９の切り込みと傾斜角が一致するようにテーパ部３ａが配設されている。そして、このパッキン２９にはドレン口３の下端部が当接若しくは圧接されるようになっている。
【００２５】
筒状ホルダー２１の下端部には逆円錐状で、かつ内側に開口３１を有するリング３３が配設されている。このリング３３の上端にはカギ爪３５が配設されており、リング３３はこのカギ爪３５により筒状ホルダー２１の大径部２１ｂ内側に止められている。
【００２６】
なお、図３にタンクドレン装置２０の外観図を示す。筒状ホルダー２１の大径部２１ｂ周囲には、周方向に沿って複数の滑り止めリブ３９が形成されている。
【００２７】
次に、本発明の実施形態の動作を説明する。
図１には、筒状ホルダー２１がドレン口３に対し螺合され、パッキン２９がテーパ部３ａと密着している様子を示す。このパッキン２９によりシール性が保たれている。
【００２８】
一方、図４には筒状ホルダー２１が緩められ、パッキン２９がテーパ部３ａから離れた様子を示す。水は円錐状突設部２７ｃ及びパッキン２９の傾斜面に沿って、ドレン口３内より拡開するように噴出され、筒状ホルダー２１の大径部２１ｂの内壁で反射され、更にリング３３の内壁に沿って水が中央に寄せられつつ、外部に排出される。
【００２９】
この際には、水の流れに角度があるため、抵抗が少なく、スムーズに流れる。このため、開口３１の内圧が低く、ネジ４上部からの漏れが起きにくい。リング３３より外部に排出された水は、中央に寄せられ柱状に集合される。従って、排水の回収も容易になり、作業者に水がかかることも少ない。
【００３０】
なお、リング３３と筒状ホルダー２１の大径部２１ｂ間の固定は、カギ爪３５により嵌合されるため、外観上無駄な凹凸がなく、簡便である。
【００３１】
【発明の効果】
以上説明したように本発明によれば、水は突設手段（２７）の所定傾斜面に沿って流れるため、水の流れに傾斜角度を有する。このため、ホルダー（２１）の内壁により反射された水は外部へと円滑に流れる。従って、周辺空隙部（２４）の内圧は低く抑えられ、ホルダー（２１）上部より水が漏れ難い。
【００３２】
また、ホルダー（２１）の端部にリング（３３）を配設したことにより、外部に排出された水は、中央に寄せられ柱状に集合される。従って、排水の回収も容易になり、作業者に水がかかることも少ない。
【図面の簡単な説明】
【図１】  本発明の実施形態であるタンクドレン装置の側面断面図
【図２】  同上底面図
【図３】  タンクドレン装置の外観図
【図４】  筒状ホルダーが緩められ、パッキンがテーパ部から離れた様子
【図５】  給水タンクのドレン構造の従来例
【符号の説明】
１  タンク
３  ドレン口
３ａ  テーパ部
４  ネジ
２０  タンクドレン装置
２１  筒状ホルダー
２３  リブ
２４  周辺空隙部
２７  凸部
２９  パッキン
３１  開口
３３  リング
３５  カギ爪
【図１】
0003698407.tif 000002
【図２】
0003698407.tif 000003
【図３】
0003698407.tif 000004
【図４】
0003698407.tif 000005
【図５】
0003698407.tif 000006